(57)【要約】ＲＦＩＤを含む合成体は、ＲＦＩＤのアンテナを離調させることなしに金属物体の上に、金属物体中に、または金属物体に隣接してはり付け可能である。合成体（１２）は第１のＲＦＩＤまたはＥＡＳ装置を含む層（１４）および第１の層に近接して保持される発泡可能材料層（１７）を有する。発泡可能材料層は、例えば熱またはマイクロ波などの外的刺激にさらされると寸法を増大して密度を減少する。発泡可能層は膨張材料を含み得、ＲＦ放射吸収材料充填材を有してもよい。合成体がラベルの形をしている場合には、合成体の印刷可能表面（１２）に印刷した後で金属（２２）物体上またはこれに隣接して合成体を設置するために感圧接着剤（１９）を用いてもよく、発泡可能材料層（１７）は印刷した後で金属（２２）物体上またはこれに隣接して設置される前または後のいずれかに外的刺激にさらされる。
2004510190.tif 000002
【特許請求の範囲】
【請求項１】
第１のＲＦＩＤまたはＥＡＳ装置を含む層と、
前記第１層に近接して保持される発泡可能材料層とからなり、発泡開始活性化にさらされると前記発泡可能材料層の寸法が増大して密度が減少する合成体。
【請求項２】
前記発泡可能材料層は膨張材料を含む請求項１に記載の合成体。
【請求項３】
前記発泡可能材料層はＲＦ放射吸収材料の充填材を含む請求項１に記載の合成体。
【請求項４】
さらに前記第１の層と発泡可能材料層とを作用的に接続する接着剤の層からなる請求項１に記載の合成体。
【請求項５】
さらに前記第１の層上の前記発泡可能材料層とは反対側に印刷可能表面層を有する請求項１に記載の合成体。
【請求項６】
さらに前記発泡可能材料層の前記第１の層とは反対側に作用的に接続される感圧接着剤層からなる請求項５に記載の合成体。
【請求項７】
前記感圧接着剤層が金属物体にはり付けられる請求項６に記載の合成体。
【請求項８】
前記感圧接着剤層が剥離ライナによって覆われる請求項６に記載の合成体。
【請求項９】
さらに前記印刷可能表面層上に結像されたインディシアからなる請求項５に記載の合成体。
【請求項１０】
前記発泡可能材料層が発泡済みである請求項７に記載の合成体。
【請求項１１】
さらに前記発泡済み層にＲＦ放射吸収材料が含まれる請求項１０に記載の合成体。
【請求項１２】
ＲＦＩＤを使用する方法であって、
（ａ）ＲＦＩＤおよび外的刺激によって活性化可能な少なくとも１つの発泡可能材料層を有する合成体を作成することと、
（ｂ）金属物体と作用的に関連して前記合成体を配置することと、
（ｃ）前記金属物体からＲＦＩＤを離間させるように前記発泡可能材料の発泡作用を実施するために外的刺激を与えることと
からなる方法。
【請求項１３】
前記合成体が印刷可能層を備えるように（ａ）が実施され、（ｄ）（ｃ）に先立って前記印刷可能層に結像することをさらに含む請求項１２に記載の方法。
【請求項１４】
（ｂ）の後に（ｃ）が実施される請求項１２に記載の方法。
【請求項１５】
（ｂ）の後に（ｃ）が実施される請求項１３に記載の方法。
【請求項１６】
前記発泡可能材料が膨張材料であり、（ｃ）は熱を供給することによって実施される請求項１２に記載の方法。
【請求項１７】
さらに前記発泡材料にＲＦ放射吸収材料を充填材として加えることによって（ａ）が実施される請求項１２に記載の方法。
【請求項１８】
さらに前記発泡材料にＲＦ放射吸収材料を充填材として加えることによって（ａ）が実施される請求項１３に記載の方法。
【請求項１９】
前記発泡可能材料が膨張材料であり、（ｃ）は熱を供給することによって実施される請求項１５に記載の方法。
【請求項２０】
さらに前記発泡材料にＲＦ放射吸収材料を充填材として加えることによって（ａ）が実施される請求項１６に記載の方法。
【発明の詳細な説明】
【０００１】
（発明の背景および要約）
ＲＦＩＤとして知られる無線周波数装置の使用はますます普及してきている。これはそのような装置またはそれらの同等物（例えばＥＡＳ装置）がいくつかの環境において多くの実用的な利益を提供するためである。その結果として、ＲＦＩＤ装置は、例えば２０００年２月８日提出の同時係属出願第０９／４９９，３４７号（アトーニー・ドケット２６３−２１９８；９９４５ＵＳ）および１９９９年９月１０日提出の第０９／３９３，２９１号（アトーニー・ドケット２６３−２０７６；９９１３ＵＳ）および米国特許第５，２０６，６２６号、第５，４９７，１４０号、および、第５，４４８，１１０号（これらの開示は参照によってここに取り込まれる）に示されるようなラベルおよびタグを含む多種多様な製品に組み込まれてきた。しかしながら、従来のＲＦＩＤを含む装置を使用するのが困難な環境が一つあり、それは金属物体に関してである。例えば、特別な予防措置がとられずにＲＦＩＤを含むラベルまたはタグが金属物体にはり付けられると、この金属がＲＦＩＤアンテナを離調させる傾向にある。これは、かなりの量のＲＦ吸収材料を使用するか、またはアンテナを金属から離して間隔をあけることにより一般に緩和される。しかしながら、ＲＦＩＤアンテナをラベルがはり付けられる金属物体から適切に離間させるのに十分な厚さの層が用いられると、ラベルは大きく嵩張るものとなる。これは分配効率を低下させ、また文書印刷に用いられる従来のプリンタを用いて装置に印刷するのを実用的でなくする。
【０００２】
本発明によれば、上述の欠点を克服するラベル、タグ、または他の複合装置が提供される。本発明によれば、金属物体にはり付けることができる一方で、アンテナの離調を実質的に防止するが、嵩張ることも扱いが困難になることもなく文書結像のための従来のプリンタを使用することも含め容易な結像が可能なラベルまたはタグのような合成体を提供することが可能となる。この有利な結果は、発泡開始活性化にさらされると寸法が増大し密度が減少する合成体（例えばラベルまたはタグ）の発泡可能材料層を提供することにより本発明に従って得られる。例えば発泡可能材料層は、加熱されると分解および／または気体形成および／または相変化するように、膨張材料からなってもよい。従って、印刷後、この層が熱、マイクロ波または他の発泡開始活性化にさらされてから、金属物体に付けられるか、または（ラベル形状に内蔵された感圧接着剤などにより）金属物体にはり付けられるときに、加熱されるかまたは別の方法で活性化されてもよい。
【０００３】
本発明の一局面によると、第１のＲＦＩＤまたはＥＡＳ装置含有層、第１の層に近接して保持される発泡可能材料層からなる合成体が提供され、発泡可能材料層は、発泡開始活性化にさらされると寸法が増大し密度が減少する。
【０００４】
発泡可能材料層には、例えば加熱に際して分解するアジ化化合物、および／または、加熱されると気体を形成する化合物、および／または、加熱されると相変化する従来の化合物などのような膨張材料が含まれ得る。マイクロ波もまた発泡可能材料を活性化し、マイクロ波により活性化される材料か膨張材料以外にも、ある状態に反応して発泡する他のタイプの材料を用いてもよい。
【０００５】
発泡可能材料層は、ＲＦ放射を吸収する材料も一般に充填材として含み得る。米国特許第５，２０２，６８８号および第５，６９１，６６７号に示されるものを含む広範な種類のこのような材料が商業的に入手可能である。
【０００６】
合成体は広範な種類の他の層を含んでもよい。例えば、種々の他の層を相互に作用的に接続する接着層が存在し得る。例えば、第１の層と発泡材料層とを作用的に、直接これらの層両方に接合し、または一方の層と１つの中間層または２つの中間層に接合して接続する接着層が存在し得る。合成体はまた、第１の層の発泡材料層とは反対側に例えば紙などの印刷可能な表面層を有することが好ましく、例えば感圧接着剤のような従来構造の接着剤によって、ＲＦＩＤ装置を紙層に直接、または１以上の中間層を介して接続することができる。装置はまた、特に印刷可能な表面層を備える場合には、ラベル形状を有し、発泡可能材料層の第１の層とは反対側に、直接発泡可能材料に接続されるか、１以上の中間層に接続されて、作用的に接続される感圧接着剤層からなってもよい。ラベルはライナ無しであっても、シリコーンで被覆された紙または同等の材料の従来のライナからなってもよい。
【０００７】
一般にインディシアは印刷可能表面層上に結像され、この結像（例えば従来のプリンタにて）の後にのみ、合成体は発泡開始作用にさらされる。感圧接着剤が金属物体に、または金属物体に隣接して合成体を接着するが、発泡済み層（または多重層）と、おそらく特に発泡済み層の充填材としての放射吸収材料のために、ＲＦＩＤアンテナはＲＦＩＤの作動寿命期間を通じて離調させることがない。
【０００８】
本発明の別の局面によると、（ａ）ＲＦＩＤおよび、外的刺激によって活性化される少なくとも１つの発泡可能層を有する合成体材料層を作成することと、（ｂ）合成体を金属物体と作用的に関連するように配置することと、（ｃ）ＲＦＩＤを金属物体から離間させるように発泡可能材料の発泡を実施させるために外的刺激を与えることとからなるＲＦＩＤを利用する方法が提供される。
【０００９】
本方法において、（ａ）は合成体が印刷可能表面を備えるように実施されてもよく、また本方法はさらに、（ｄ）（ｃ）に先立って（例えば、従来の文書プリンタを用いて）印刷可能層に結像することを含む。本方法において、（ｃ）は（ｂ）の前または後に実施されてもよい。一つの実施形態において、発泡可能材料は膨張材料であり、（ｃ）はヘアドライヤ、（合成体には実際に接触しない）はんだ付け銃、または広範な種類の他の従来装置などを用いて熱を供給することによって実施される。また、（ａ）はさらに発泡可能材料に充填材としてＲＦ放射吸収材料を付加することによって実施されてもよい。
【００１０】
本発明の主要目的は、ＲＦＩＤの有用寿命期間を通じてアンテナを離調させることなく金属物体と関連する使い易く適応可能なＲＦＩＤを含む（ラベルまたはタグのような）合成体を提供することにある。本発明のこれらのおよび他の目的は本発明の詳細な記述の検査および添付の特許請求の範囲から明瞭になるであろう。
【００１１】
（図面の詳細な説明）
図１は本発明による合成体１０を概略的に示す。図１にはあるいくつかの層が示されているが、これは図示のみを目的とするものであり、以下に説明するように、多数の発泡可能層を含むより少ないまたはより多い層が設けられてもよい。
【００１２】
特に図１に示す具体例では、上部から始めると、ラベルに用いられる従来構造の紙層のようなプリント可能表面１２をもつ層１１が存在する。プリント可能な表面１２は、図３の１３に概略的に示すように、例えば従来の文書プリンタを用いて、その上にインディシアが結像されていてもよい。
【００１３】
合成体１０は、図１および２において１４で概略的に示されるＲＦＩＤ（またはＥＡＳ装置）を含む層からもなり、このＲＦＩＤ装置の部分は１５で概略的に示される。層１４は、例えば上述の同時係属出願または上述の特許に記載されているようないかなる従来のＲＦＩＤ層からなってもよい。層１１、１４は、例えば層１１、１４の両方に直接接着されるか、１つ以上の中間層を介してこれらの層の一方または両方に接着される感圧接着剤（またはある状況下では他のタイプの接着剤）の層１６によって相互に作用的に接続される。
【００１４】
合成体１０はまた、発泡可能な材料層１７からなる。層１７は、活性化されると気体を形成する発泡剤と相互に混合された例えば熱可塑性、熱硬化性、または混成材料のような、外部刺激にさらされると発泡可能な少なくとも１つの材料を含む。例えば、層１７の発泡可能材料にはアジドのような膨張性材料、または加熱されるか他の外的刺激にさらされると分解する化合物および／または気体を形成する化合物および／または相変化する化合物などの、この目的に使用可能ないかなる他のタイプの広範な種類の材料からなってもよい。
【００１５】
発泡可能な材料層１７には、例えば米国特許第５，２０２，６８８号や第５，６９１，６６７号に示されるような広範な種類の従来のタイプのＲＦ放射吸収材料のような他の材料も、例えば充填材として含み得る。ある特定の発泡可能な材料またはある特定の放射吸収充填材等によっては他の材料もまた存在し得る。
【００１６】
発泡可能層１７は、両方の層１４、１７に直接接合するか、一方と直接的に接合し他方を中間層に接合させるか、または２つ以上の中間層に接合する、接着剤（例えば感圧接着剤）層１８のような任意の従来手段によって層１４に作用的に接続され得る。
【００１７】
合成体１０がラベルからなる場合には、合成体は感圧接着剤の層１９も含む。層１９は、層１７に直接接着されるか、または中間体を介して層１７に接着されるか、または他の仕方によって層１７に作用的に接続される。合成体１０としてライナ無しラベルが提供される場合には、従来構造のライナは必要なく、シリコーンまたは同様のコーティングが表面１２に施される。しかしながら、図１に示される具体例においては、従来のシリコーン被覆紙のような従来の剥離ライナ２０が存在する。
【００１８】
図２は、接着剤層１９からライナ２０が剥がされ、層１７に熱その他の発泡開始刺激が与えられた図１の合成体を示す。接着剤層１９は、ポール、プレート、ハウジング等のような金属物体２２の表面２１に、または金属物体に隣接して接着されている。層１７の発泡作用により、ＲＦＩＤ１４と金属物体２２の間には発泡以前（図１参照）よりも著しく広い間隔があけられる。ＲＦ放射吸収材料が発泡層１７内の充填材として用いられる場合には、ＲＦＩＤ１５は、その作動可能寿命期間にわたってさらにいっそう金属物体２２により離調されにくくなる。
【００１９】
図４は本発明による代表的な方法を概略的に例示する。ボックス２５に示されるように、合成体１０のようなＲＦＩＤラベルまたは他の合成体が従来技法を用いて作成される。次に、ボックス２６に示されるように、合成体１０は比較的薄いので、合成体１０が例えば従来の文書プリンタを用いて結像され、合成体１０の印刷可能表面１２にインディシア１３が印刷される（図３参照）。図４のボックス２７に概略的に示されるように、合成体１０は金属物体２２にはり付けられ、図２に示されるように、この手順２７は、合成体１０が熱または他の発泡開始刺激にさらされる（図４のボックス２８参照）前または後のいずれかに実施される。
【００２０】
したがって、本発明によると、金属物体上に、金属物体内に、または、金属物体に隣接して直接本合成体を使用することを可能にする、非常に効果的で多用途の合成体およびその利用の方法が提供されることがわかるであろう。現時点において本発明の最も実用的かつ好ましい具体例であると思われるものにより本発明をここに示し記述してきたが、当業者であれば、全ての等価構成および方法を包含するように添付する特許請求の範囲の最も広い解釈が与えられるべきである、本発明の範囲内において多くの改変が可能であることが明白であろう。
【図面の簡単な説明】
【図１】
図１は本発明による代表的な合成体の一形式の、明瞭に図示するために層寸法と比率が誇張された概略側面図である。
【図２】
図２はライナが取り除かれて金属物体に接着され、発泡可能層が発泡済みの図１に示す合成体の側面概略断面図である。
【図３】
図３は図１の合成体の上面図である。
【図４】
図４は本発明による代表的な方法を示すボックス図である。
【図３】
2004510190.tif 000003
【図４】
2004510190.tif 000004
【国際公開パンフレット】
2004510190.tif 000005
2004510190.tif 000006
2004510190.tif 000007
2004510190.tif 000008
2004510190.tif 000009
2004510190.tif 000010
2004510190.tif 000011
2004510190.tif 000012
2004510190.tif 000013
2004510190.tif 000014
2004510190.tif 000015
2004510190.tif 000016
【国際調査報告】
2004510190.tif 000017
2004510190.tif 000018